(57)【要約】【課題】器具効率を向上するとともに照射面におけるムラを減少させることができる舞台・スタジオ用照明器具を提供する。【解決手段】光源２１から発せられた光は、レンズ２４を介して照射される。このとき、光源２１とレンズ２４とを相対的に接近・離反させることにより、配光制御して、照射面を集光したり拡散したりする。そして、レンズ２４における光源２１側の周辺に、光源２１からの光をレンズ２４側へ反射する補助反射板２５を設けたので、光源２１から発せられた光を効率的にレンズ２４に取り込むことができ、照射面におけるムラを減少させるとともに器具効率を向上できる。【選択図】図２
2013161623.tif 000002
【特許請求の範囲】
【請求項１】
光源と、
前記光源に対して相対的に接近・離反して前記光源からの光を配光調整するレンズと、
前記レンズにおける前記光源側の周辺に、前記光源からの光を前記レンズ側へ反射する補助反射板を設けた舞台・スタジオ用照明器具。
【請求項２】
請求項１に記載の舞台・スタジオ用照明器具において、
前記補助反射板の光源側外周縁が、前記レンズの有効面を前記光源側に投影した投影面の外側に位置する舞台・スタジオ用照明器具。
【請求項３】
請求項１または請求項２に記載の舞台・スタジオ用照明器具において、
前記光源がＬＥＤ光源である舞台・スタジオ用照明器具。
【発明の詳細な説明】
【技術分野】
【０００１】
本発明は、舞台やスタジオで使用されるスポットライト等の舞台・スタジオ用照明器具に関するものである。
【背景技術】
【０００２】
従来より、舞台やスタジオにおいてスポットライトが使用されている（例えば、特許文献１参照）。
図５に示すように、特許文献１に記載のスポットライト１００では、複数の光源であるＬＥＤ１０１を配列したＬＥＤ 配列部１０２を有しており、ＬＥＤ配列部１０２の照射方向前方（図５において左方）にはアレイレンズ１０３を有する。
【０００３】
また、アレイレンズ１０３の照射方向前方には、非球面集光レンズ１０４および照射角制御レンズ１０５を有する。
照射角制御レンズ１０５には、仮想焦点に対し光軸Ｌに沿って移動及び所望位置で固定させる位置決め手段１０６と、これら光学系を適正関係位置に保持する灯体１０７を有する。
なお、ＬＥＤ１０１は印刷配線基板１０８の前面に縦横に並べられており、印刷配線基板１０８の後面側（図５において右側）には、ＬＥＤ１０１が発する熱を逃がすための放熱フィン１０９が設けられている。
【０００４】
ところで、図６（Ａ）および（Ｂ）に示すように、一般的なスポットライト１１０においては、光源１１１および光源１１１の光を所定の方向へ反射する反射板１１２と、光源１１１および反射板１１２からの光を配光制御するレンズ１１３とを有する。
そして、図６（Ａ）に示すように、光源１１１および反射板１１２を一体としてレンズ１１３から遠ざけることにより、照射面における照射光を集光する。
また、図６（Ｂ）に示すように、光源１１１および反射板１１２を一体としてレンズ１１３に近づけることにより、照射面における照射光を拡散する。
【先行技術文献】
【特許文献】
【０００５】
【特許文献１】特開２００７−５２９５７号公報（第１図）
【発明の概要】
【発明が解決しようとする課題】
【０００６】
しかしながら、上述したような照明器具においては、特に光源および反射板をレンズから遠ざけた場合には、レンズに照射される光の量が減少して器具効率が低下するとともに、照射面にムラを生じるという問題があった。
【０００７】
本発明は、従来の問題を解決するためになされたもので、器具効率を向上するとともに照射面におけるムラを減少させることができる舞台・スタジオ用照明器具を提供することを目的とする。
【課題を解決するための手段】
【０００８】
本発明の舞台・スタジオ用照明器具は、光源と、前記光源に対して相対的に接近・離反して前記光源からの光を配光調整するレンズと、前記レンズにおける前記光源側の周辺に、前記光源からの光を前記レンズ側へ反射する補助反射板を設けたものである。
【０００９】
また、本発明の舞台・スタジオ用照明器具は、前記補助反射板の光源側外周縁が、前記レンズの有効面を前記光源側に投影した投影面の外側に位置するものである。
【００１０】
さらに、本発明の舞台・スタジオ用照明器具は、前記光源がＬＥＤ光源であるものである。
【発明の効果】
【００１１】
本発明は、レンズにおける光源側の周辺に、光源からの光をレンズ側へ反射する補助反射板を設けたので、光源から発せられた光を効率的にレンズに取り込むことができ、器具効率を向上させて照射面におけるムラを減少させるという効果を有する舞台・スタジオ用照明器具を提供できる。
【図面の簡単な説明】
【００１２】
【図１】本発明に係る実施形態の舞台・スタジオ用照明器具の斜視図
【図２】本発明に係る実施形態の舞台・スタジオ用照明器具の断面図
【図３】レンズおよび補助反射板を移動させるフォーカス装置の斜視図
【図４】補助反射板とレンズとの関係を示す説明図
【図５】従来のスポットライトの断面図
【図６】（Ａ）は従来の一般的なスポットライトによって集光させた場合の説明図であり、（Ｂ）は拡散させたときの説明図
【発明を実施するための形態】
【００１３】
以下、本発明に係る実施形態の舞台・スタジオ用照明器具について、図面を用いて説明する。
図１に示すように、本発明に係る実施形態の舞台・スタジオ用照明器具１０（以後、「照明器具１０」という。）は、舞台やスタジオにおいて、照射光を集光・拡散して照射するのに用いられる。
なお、以下の説明において、「前方（前側）」とは「照射方向前方（照射方向前側）」を示し、「後方（後側）」とは「照射方向と反対方向（照射方向と反対側）」を示すこととする。
【００１４】
照明器具１０は、前方が開口した筒状の器具本体２０を有しており、器具本体２０の内部には、光源であるＬＥＤ光源２１（図２参照）が収容されている。
器具本体２０は、全体コ字状の支持部材１１によって、上下方向（図１中矢印Ａ方向）へ回動可能に支持されている。
また、支持部材１１は、下部中央の回転軸１２を中心として水平方向（図１中矢印Ｂ方向）に回転可能に支持される。使用時には、回転軸１２がスタンド等の支持部材に回転可能に取り付けられる。
従って、器具本体２０は、上下方向および水平方向で任意の方向へ向くことができ、ＬＥＤ光源２１からの照射光を、所望の方向へ向けることができる。
【００１５】
器具本体２０の前端部には、ＬＥＤ光源２１からの照射光を所定の範囲に切るためのバンドア３０が設けられている。バンドア３０は、４枚（図１においては３枚表示）の羽根３１を有する。
各羽根３１は、器具本体２０の前端部外側に設けられている軸部材３２に、回転可能かつ所望の角度で固定可能に取り付けられている。
【００１６】
図２に示すように、器具本体２０の内部には、１個または複数個のＬＥＤ光源２１を有するＬＥＤ発光部２２が設けられている。
ＬＥＤ発光部２２のＬＥＤ光源２１と反対側、すなわち、器具本体２０の外側には、ＬＥＤ発光部２２が発した熱を放出する複数枚の放熱フィン２３が設けられている。
【００１７】
ＬＥＤ光源２１の前方には、例えばフレネルレンズ等のレンズ２４が設けられており、ＬＥＤ光源２１からの光を集光および拡散させて配光調整する。
レンズ２４のＬＥＤ光源２１側（図２において左側）の周辺には、ＬＥＤ光源２１からの光をレンズ２４側へ反射する補助反射板２５が設けられている。
補助反射板２５は、前後に開口する略円錐台形状を呈しており、内面が反射面となっている。
【００１８】
図３に示すように、レンズ２４および補助反射板２５は、フレーム２６により一体的に設けられており、フォーカス装置４０により、ＬＥＤ光源２１に対して、一体的に接近・離反する。
フォーカス装置４０は、矩形状の枠部材４１を有しており、枠部材４１は一対の前後方向部材４１Ａを有する。前後方向部材４１Ａの内側には、前後方向に沿ってギヤ４２およびガイドレール４３が設けられている。
【００１９】
ギヤ４２は枠部材４１に回転可能に支持されており、後端が枠部材４１から突出して、先端につまみ４２Ａが取り付けられている。
ギヤ４２は、フレーム２６の下部に設けられているギヤ部２６Ａに噛合しており、つまみ４２Ａを回転させることにより、フレーム２６がガイドレール４３およびギヤ４２に沿って前後移動する。
これにより、レンズ２４および補助反射板２５が一体で前後移動する。
【００２０】
図４に示すように、補助反射板２５の光源側外周縁２５Ａは、レンズ２４の有効面（外径Ｄ１）をＬＥＤ光源２１側に投影した投影面の外側に位置する。
すなわち、補助反射板２５の外径Ｄ２は、レンズ２４の外径Ｄ１よりも大きく、かつ、レンズ２４は投影面が補助反射板２５の投影面の内部に収容されるように配置されている。
このため、ＬＥＤ光源２１からレンズ２４の外側へ照射された光ＬＢの一部は、補助反射板２５により反射して、レンズ２４に入射する。
【００２１】
以上、説明した本発明に係る実施形態の舞台・スタジオ用照明器具１０によれば、ＬＥＤ光源２１から発せられた光は、レンズ２４を介して照射される。このとき、ＬＥＤ光源２１とレンズ２４とを相対的に接近・離反させることにより、配光制御して、照射面を集光したり拡散したりする。
【００２２】
そして、レンズ２４におけるＬＥＤ光源２１側の周辺に、ＬＥＤ光源２１からの光をレンズ２４側へ反射する補助反射板２５を設けた。
これにより、ＬＥＤ光源２１から発せられた光を効率的にレンズ２４に取り込むことができ、器具効率を向上させて、照射面におけるムラを減少させることができる。
【００２３】
また、補助反射板２５の光源側外周縁２５Ａが、レンズ２４の有効面をＬＥＤ光源２１側に投影した投影面の外側に位置するので、ＬＥＤ光源２１からレンズ２４の外側に向かって照射される光ＬＢをレンズ２４に取り込むことができる。
【００２４】
さらに、光源としてＬＥＤ光源２１を用いるので、消費電力および発熱量を減少することができる。
また、光量を上げる際にはＬＥＤ光源２１の数を増加させて、面光源に近くなるが、ＬＥＤ光源２１からレンズ２４の外側に向かって照射される光をレンズ２４に取り込むことができるので、器具効率を向上させて、照射面におけるムラを減少させることができる。
【００２５】
なお、本発明の舞台・スタジオ用照明器具は、前述した実施形態に限定されるものでなく、適宜な変形、改良等が可能である。
例えば、前述した実施形態において、器具本体２０の形状や支持状態は一例であり、これに限定するものではない。
【符号の説明】
【００２６】
１０  照明器具（舞台・スタジオ用照明器具）
２１  ＬＥＤ光源（光源）
２４  レンズ
２５  補助反射板
２５Ａ  光源側外周縁
Ｄ１  有効面の外径
Ｄ２  光源側外周縁の外径
【図１】
2013161623.tif 000003
【図２】
2013161623.tif 000004
【図３】
2013161623.tif 000005
【図４】
2013161623.tif 000006
【図５】
2013161623.tif 000007
【図６】
2013161623.tif 000008